(57)【要約】【課題】押し花とほぼ一体的に写真等が差し換え可能に掲示出来て、押し花の長期保持が可能な額の提供を目的とする。【解決手段】写真等の掲示物を配置するスペースを確保しつつ、額の前面ガラス板の裏面側に押し花を接着剤で貼り付け、押し花の裏面部に、中シート及びアルミ箔に設けた上記掲示物の出し入れ用の切り欠け部が位置するように裏側からこの中シート及びアルミ箔を重ねるとともに、中シートの外縁部に配置したスペーサー枠の裏面部にてアルミ箔を接着し、上記掲示物の出し入れ用の切り欠け部にリテーナーを介して接着テープを貼り付けて押し花を密封又は減圧密封した構造とした。【選択図】  図１
2004345341.tif 000002
【特許請求の範囲】
【請求項１】
写真等の掲示物を配置するスペースを確保しつつ、額の前面ガラス板の裏面側に押し花を接着剤で貼り付け、押し花の裏面部に、中シート及びアルミ箔に設けた上記掲示物の出し入れ用の切り欠け部が位置するように裏側からこの中シート及びアルミ箔を重ねるとともに、中シートの外縁部に配置したスペーサー枠の裏面部にてアルミ箔を接着し、上記掲示物の出し入れ用の切り欠け部にリテーナーを介して接着テープを貼り付けて押し花を密封又は減圧密封したことを特徴とする押し花飾り付けの写真額。
【請求項２】
写真等の掲示物を入れる袋状のケースの出し入れ口と額の前面ガラス板の間に、飾り部材を挟むようにして上記袋状ケースをガラス板の裏面に配置し、このガラス板の裏面に押し花を接着剤で貼り付け、中シートの切り欠け部は掲示物の大きさより小さく、この中シートを掲示物の前又は後に配置し、上記袋状ケースの掲示物の出し入れ口に合わせて切り欠き部を設けたアルミ箔を重ね、この中シートの外縁部に配置したスペーサー枠にこのアルミ箔を接着し、上記袋状ケースの出し入れ口に接着テープを貼り付けて押し花を密封又は減圧密封したことを特徴とする押し花飾り付けの写真額。
【請求項３】
額前面のガラス板の裏面に、写真等の掲示物を出し入れする出し入れ口をこの写真等の掲示物の大きさよりも小さく設けた掲示物収納ケースを配置し、この額前面のガラス板の裏面に、あるいはこの収納ケース裏面にも押し花を接着剤で貼り付け、中シートを挟み込むようにして上記収納ケースの裏カバーと中シート外縁部のスペーサー枠とにアルミ箔を貼り付け、上記収納ケースの出し入れ口に接着テープを貼り付けて押し花を密封又は減圧密封したことを特徴とする押し花飾り付けの写真額。
【請求項４】
スペーサー枠のアルミ箔貼り付け面に微小の凹凸を形成したことを特徴とする請求項１〜請求項３のいずれかに記載の押し花飾り付け額。
【請求項５】
中シートとアルミ箔の間に乾燥剤又は脱酸素剤を挿入配置したことを特徴とする請求項１〜請求項３のいずれかに記載の押し花飾り付けの写真額。
【請求項６】
写真等の掲示物を配置するスペースを確保しつつ、額の前面ガラス板の裏面側に押し花を接着剤で貼り付け、前面からは掲示物が見えるように押し花の裏面側に中シートを重ね、その裏面側から透明フィルムを重ね、更に透明フィルムの裏面側に掲示物を重ね、掲示物の差し換え口を設けて、その部分を切り欠いたアルミ箔を接着し、掲示物の差し換え口を裏フタとして設けたリテーナを更に重ね、リテーナの蓋との境界部に接着テープを貼り付けて押し花部分を減圧密封したことを特徴とする押し花飾り付けの写真額。
【請求項７】
中シートと透明フィルムの間に乾燥剤又は脱酸素剤を挿入配置したことを特徴とする請求項６記載の押し花飾り付けの写真額。
【発明の詳細な説明】
【０００１】
【発明の属する技術分野】
本発明は、写真等の掲示物の出し入れが可能な押し花飾り付け額に関する。
【０００２】
【従来の技術】
押し花の乾燥状態を保持しつつ、写真等を掲示する額の構造としては、実用新案登録第３０７０７１４号公報記載の方法が公知である。
この構造は、押し花の乾燥状態を保持するために押し花を透明ガラス板と透明塩化ビニール板との間に挟み込み、外周部を接着テープで密封固定したものである。
【０００３】
しかし、写真等は押し花が挟み込まれたガラス板と塩化ビニール板との間ではなく、塩化ビニール板の裏面側に配置される構造になっている。
即ち、厚み方向にて押し花の位置と写真の位置がずれていることになり、押し花との一体性に欠けるものであった。
【０００４】
【特許文献１】
実用新案登録第３０７０７１４号公報
【０００５】
【発明が解決しようとする課題】
本発明は、上記従来技術に鑑みて、押し花とほぼ一体的に写真等が差し換え可能に掲示出来て、押し花の長期保持が可能な額の提供を目的とする。
【０００６】
【課題を解決するための手段】
請求項１記載の発明は、写真等の掲示物を配置するスペースを確保しつつ、額の前面ガラス板の裏面側に押し花を接着剤で貼り付け、押し花の裏面部に、中シート及びアルミ箔に設けた上記掲示物の出し入れ用の切り欠け部が位置するように裏側からこの中シート及びアルミ箔を重ねるとともに、中シートの外縁部に配置したスペーサー枠の裏面部にてアルミ箔を接着し、上記掲示物の出し入れ用の切り欠け部にリテーナーを介して接着テープを貼り付けて押し花を密封又は減圧密封した構造とした。
【０００７】
本発明の趣旨は、写真等の差し換え口の大きさを写真等の大きさより小さくし、かつ、差し換え口が表より見えないようにする点にある。
請求項１記載の発明の場合には、写真の差し換え口（出し入れ用の切り欠け部）が前面からは押し花により隠されることになり見映えが良い。
また、掲示物の出し入れ口を接着テープにて塞ぐ際に、真空ポンプや掃除機等の吸引機の吸い込み先にノズル等のアダプターを取り付けて減圧するとアルミ箔とガラスがより密着し良い。
減圧手段としては、真空ポンプ等でも良いが、掃除機の吸い込み先を用いると家庭においても容易に減圧でき、簡単に写真の差し替えが出来る。
【０００８】
請求項２記載の発明は、写真等の掲示物を入れる袋状のケースの出し入れ口と額の前面ガラス板の間に、飾り部材を挟むようにして上記袋状ケースをガラス板の裏面に配置し、このガラス板の裏面に押し花を接着剤で貼り付け、中シートの切り欠き部は掲示物の大きさより小さく、この中シートを掲示物の前又は後に配置し、上記袋状ケースの掲示物の出し入れ口に合わせて切り欠き部を設けたアルミ箔を重ね、この中シートの外縁部に配置したスペーサー枠にこのアルミ箔を接着し、上記袋状ケースの出し入れ口に接着テープを貼り付けて押し花を密封又は減圧密封した構造にした。
【０００９】
これにより、写真差し換え用の掲示物の出し入れ口の前に飾り部材が介在していることになり、前面からはこの飾り部材に隠れて出し入れ口が見えず見映えが良い。
減圧すると、この袋状のケースがガラスに密着して良い。
【００１０】
請求項３記載の発明は、額前面のガラス板の裏面に、写真等の掲示物を出し入れする出し入れ口をこの写真等の掲示物の大きさよりも小さく設けた掲示物収納ケースを配置し、この額前面のガラス板の裏面に、あるいはこの収納ケース裏面にも押し花を接着剤で貼り付け、中シートを挟み込むようにして上記収納ケースの裏カバーと中シート外縁部のスペーサー枠とにアルミ箔を貼り付け、上記収納ケースを介して写真を入れる構造にしたので、収納ケースの写真差し換え口が前面から見えず、見映えが良い。
また、収納ケースの形状を各種形状に変えることにより、写真等の飾り付けに高級感が出る。
また、押し花がアルミ箔にて密封されていて長期保存が可能である。
この場合にも減圧密封するとガラス、ケース、台紙、アルミ箔がより密着し
写真が押し花と一体的に映る。
【００１１】
収納ケースの裏カバーやスペーサー枠に微小の凹凸を形成すると、アルミ箔の密着性が良くなり、スペーサー枠の枠幅を小さく出来るので額の開口前面部がそれだけ広くできる。
【００１２】
中シート（台紙）とアルミ箔の間に乾燥剤又は脱酸素剤を挿入しておくと、ガラス面と押し花の間に接着剤が介在することにより、実物よりも色が鮮やかに見え、かつ、押し花の裏面より、乾燥剤や脱酸素剤が効くように配置されているので、押し花の長期保存がより可能になる。
【００１３】請求項６記載の発明は、写真等の掲示物を配置するスペースを確保しつつ、額の前面ガラス板の裏面側に押し花を接着剤で貼り付け、前面からは掲示物が見えるように押し花の裏面側に中シートを重ね、その裏面側から透明フィルムを重ね、更に透明フィルムの裏面側に掲示物を重ね、掲示物の差し換え口を設けて、その部分を切り欠いたアルミ箔を接着し、掲示物の差し換え口を蓋フタとして設けたリテーナを更に重ね、リテーナの蓋との境界部に接着テープを貼り付けて押し花部分を減圧密封した。
【００１４】
押し花と中シートの上から透明フィルムを重ねて減圧すると透明フィルムが密着することに着目したものである。
【００１５】
この場合に、乾燥剤又は脱酸素剤は押し花と透明フィルムの間に入れるとよい。
【発明の実施の形態】
図１に本発明に係る額の基本構成例を示す。
額１の前面ガラス板２の裏面に、押し花３の一部又は全部を透明接着剤等を用いて貼り付ける。
さらに、その上に中シート５を重ねる。
この中シートは、押し花及び写真等の掲示物の台紙としての役割を果たすものである。
【００１６】
中シート５の組み合わせ例としては、オーガンジー５１と、布や紙の色紙５２と、不織布等のクッションシート５３との重ね合わせ等が良い。
オーガンジー５１は、セミの羽のように薄地で透けて見えるので押し花からはみ出した接着剤等をぼかす作用があり、前面ガラス板側から押し花を見る際に高級感が出る。
【００１７】
布や紙から出来ている色紙５２は、背景色となるもので目的に応じて各種色調のものが使用される。
【００１８】
不織布等のクッションシート５３は、写真等を押さえるクッション材として使用されるものである。
【００１９】
この中シート５を挟み込むようにしてアルミ箔７をスペーサー枠４に貼り付ける。
その断面構造を図２にて説明すると、ガラス板の裏面にスペーサー枠４を接着し、スペーサー枠には微小の凹凸４ａが形成され、アルミ箔７がスペーサー枠に接着材１６にて貼り付けられる。
ガラス板裏面にスペーサー枠を介してアルミ箔７を貼り付けることで、アルミ箔にしわが生じることなく、押し花等が密封できる。
又、スペーサー枠のアルミ箔貼り付け面に微小の凹凸を設けることで、スペーサー枠の幅を狭くすることができ、その分額の前面の有効面（掲示面）を広く採ることができる。
【００２０】
中シート５とアルミ箔７には、写真等を差し換えるための出し入れ用の切り欠け部６が設けられている。
この切り欠け部６は、写真等の大きさより小さく、押し花の裏面に位置するように設けられている。
次に、アルミ箔の上にアクリル樹脂板等のリテーナー８が接着される。
リテーナーにも差し入れ用の切り欠け部６が形成され、この部分から図２に示すように写真Ａが挿入される。
次に、リテーナー８の裏面からアルミニウム製等の接着テープ１０を貼り付けて差し換え口を塞ぐことで押し花を密封した状態に出来る。
また、中に乾燥剤１１又は脱酸素剤１１ａを入れるのが押し花の乾燥状態を長期保持するのに効果的である。
また、接着テープ１０を剥がすことで写真の差し換えが容易である。
減圧密封する場合には、図２（ロ）に示すように、リテーナー８に吸引穴８ａを設け、この穴から吸引減圧し塞ぎテープ１０ａでシールする。
また、後で写真を差し換えた後に減圧する方法例を図３及び図４にて説明する。
ノズルアダプター１７に掃除機の吸い込み先１８を差し込んで、吸引機として使用すると家庭でも容易に出来る。
図４（イ）に示すようにアルミ箔に穴を明け、穴１８ａのあいたリテーナー８１を接着剤１６を介して重ね、吸引後に図（ロ）に示すようにリテーナー８１を指先で軽く横にずらすと、図（ハ）のように簡単にシールできる。
また、リテーナ８１に直接掃除機の吸い込み口を当て、その後同様にしてリテーナを軽く横にずらしてシールしても良い。
【００２１】
次に、額の裏板９で裏側から額に固定することにより、図５に示すような押し花飾り付け額となる。
【００２２】
図６には、写真の差し換え用の出し入れ口６を押し花の位置に設けない代わりに、その部分のガラス板面に飾り部材１２を貼り付けた例を示す。
この場合には、額の前面は図７のようになる。
また、裏面は図８のようになり、写真の収納袋１３を用いて、その差し換え口にリテーナーを取り付けるのが良い。
収納袋（袋状のケース）に写真を入れても減圧密封するとガラスとアルミ箔の間にこの袋が押しつぶされるように密着し良い。
また、収納袋の配置方法は図１５に示すように、差し換え口を裏面リテーナ８側に設けてもよく、図１６に示すようにサイド部のスペーサー枠４に差し換え口を設けてもよい。
【００２３】
写真等の掲示物収納ケース１４を用いて額を構成した例を図９に示す。
この場合の断面図を図１０に示し、リテーナーの代わりに収納ケース裏カバー１５を取り付け、この裏カバーにも微小の凹凸１５ａを形成してアルミ箔を貼り付けるのが良い。
このようにした場合の前面は図１１のようになる。
また、その裏面を図１２に示す。
この場合、裏カバーの差し換え口に段差が出来るようであれば、スペーサー１９を入れると良い。
特に、減圧密封するときには接着テープ１０が凹まないように作用し良い。
【００２４】
図１３のように収納ケースの裏面及びガラス面の全面に接着剤を塗り、押し花を配置すると、図１４のような前面になる。
【００２５】
図１７に示すように、ガラス２の裏面に押し花を接着剤で接着した上に中シート５を重ね、その上に接着剤１６を塗布し、透明フィルム２０を重ねる。
この透明フィルム２０の上に写真Ａを重ね、写真Ａの上に中シート５を重ね、その上にスペーサー１９を重ね、スペーサー１９の周囲はアルミ箔７が透明フィルム２０の上に接着されている。
その上にリテーナ８とリテーナの蓋部８ｂを重ねる。
蓋部８ｂの境目に接着テープ１０を貼り付けてシールする。
このようにして、押し花部分を減圧すると透明フィルム２０がガラス２に密着する。
【００２６】
透明フィルム２０の周囲をガラスに接着する際に、図１８に示すようにスペーサー枠４を用いてもよい。
【００２７】
透明フィルム２０は、必ずしも図１７、１８のように裏面の全面に重ねる必要はなく、図１９に示すようにアルミ箔７とつなぎ合わせるように配置してもよい。
【００２８】
【発明の効果】
本発明においては、写真等の掲示物を押し花を貼り付けたガラス板面と押し花を密封するアルミ箔の間に挿入出来る構造にしたので、写真等の掲示物を押し花で一体的に飾り付けることができつつ、写真等の差し換えが容易である。
【図面の簡単な説明】
【図１】本発明に係る額の構成図を示す。
【図２】額の側面断面図を示す。
【図３】吸引ノズルの例を示す。
【図４】吸引減圧シール方法を示す。
【図５】額を前面から見た図を示す。
【図６】差し換え口のガラス面に飾り部材を取り付けた例を示す。
【図７】飾り部材を用いた場合の前面から見た図を示す。
【図８】飾り部材を用いた場合の裏面から見た図を示す。
【図９】収納ケースを用いた場合の裏カバーを示す。
【図１０】収納ケースを用いた場合の断面図を示す。
【図１１】収納ケースを用いた場合の前面から見た図を示す。
【図１２】収納ケースを用いた場合の裏面を示す。
【図１３】収納ケースにも押し花を貼り付けた例を示す。
【図１４】収納ケースにも押し花を貼り付けた場合の前面から見た図を示す。
【図１５】収納袋を用いた場合の配置例を示す。
【図１６】収納袋の差し換え口をサイド部に設けた例を示す。
【図１７】透明フィルムとガラスの間に押し花を減圧密封した例を示す。
【図１８】透明フィルムをスペーサー枠に接着した例を示す。
【図１９】透明フィルムとアルミ箔をつなぎ合わせた例を示す。
【符号の説明】
１    額
２    ガラス板
３    押し花
４    スペーサー枠
５    中シート
５１  オーガンジー
５２  色紙
５３  クッションシート
６    差し換え口（出し入れ用切り欠け部）
７    アルミ箔
８、８１      リテーナー
８ａ、８１ａ  吸引穴
９    額の裏板
１０  接着テープ
１１  乾燥剤
１１ａ脱酸素剤
１２  飾り部材
１３  収納袋
１４  収納ケース
１５  収納ケース裏カバー
１６  接着剤
１７  ノズルアダプター
１８  掃除機の吸い込み先
１９  スペーサー
２０  透明フィルム
【図１】
2004345341.tif 000003
【図２】
2004345341.tif 000004
【図３】
2004345341.tif 000005
【図４】
2004345341.tif 000006
【図５】
2004345341.tif 000007
【図６】
2004345341.tif 000008
【図７】
2004345341.tif 000009
【図８】
2004345341.tif 000010
【図９】
2004345341.tif 000011
【図１０】
2004345341.tif 000012
【図１１】
2004345341.tif 000013
【図１２】
2004345341.tif 000014
【図１３】
2004345341.tif 000015
【図１４】
2004345341.tif 000016
【図１５】
2004345341.tif 000017
【図１６】
2004345341.tif 000018
【図１７】
2004345341.tif 000019
【図１８】
2004345341.tif 000020
【図１９】
2004345341.tif 000021